(57)【特許請求の範囲】
【請求項１】
地盤中にコンクリート杭を形成するに際し、該コンクリート杭を形成すべき位置に土留め用の筒状のケーシングを設置する方法であって、
前記ケーシングの上端部を、バイブロハンマーの複数のチャック部で保持した状態で前記バイブロハンマーを揚重機で吊り下げるとともに、前記ケーシングを索体により前記揚重機または前記バイブロハンマーに連結する工程と、
前記揚重機で前記ケーシングを設置すべき位置まで移動させ、前記バイブロハンマーの本体部で発生した振動を前記チャック部を介して前記ケーシングに伝達させながら、前記ケーシングを地盤中に貫入させていく工程と、を有し、
前記ケーシングは、前記本体部に着脱可能な状態でセットしたサポートブラケットに、前記索体を介して連結されることを特徴とするケーシングの設置方法。
【請求項２】
地盤中にコンクリート杭を形成するに際し、該コンクリート杭を形成すべき位置の地盤に貫入させる土留め用の筒状のケーシングに振動を与えるバイブロハンマーの本体部に取り付けられるサポートブラケットであって、
前記本体部の上面に載置される支持プレートと、
該支持プレートから前記本体部の側面に沿って下方に延びる側面プレートと、を有し、
該側面プレートに係止具が設けられ、該係止具と前記ケーシングの上端部とが索体により連結可能とされていることを特徴とするサポートブラケット。
【請求項３】
地盤中にコンクリート杭を形成するに際し、該コンクリート杭を形成すべき位置の地盤に貫入される土留め用の筒状のケーシングの上端部を保持するチャック部と、
該チャック部を介して前記ケーシングを振動させるための振動機構を内蔵した本体部と、
該本体部に一体に設けられた請求項２に記載の前記サポートブラケットと、を備えていることを特徴とするバイブロハンマー。
【発明の詳細な説明】
【技術分野】
【０００１】
本発明は、地中に場所打ちコンクリート杭を形成するに際して用いるケーシングの設置方法、およびそれに用いるサポートブラケット、バイブロハンマーに関する。
【背景技術】
【０００２】
従来、建築構造物の基礎として、地中にコンクリート杭を形成することが広く行われている。コンクリート杭を形成する方法の一つに、筒状のケーシングを地中に貫入させてケーシングの内側を掘削し、掘削された孔の内部に鉄筋を配筋し、コンクリートを打設するものがある（例えば、特許文献１参照）。
【０００３】
ここで、ケーシングを地中に貫入させるには、バイブロハンマー工法を用いるのが一般的である。バイブロハンマー工法では、起振力を発生するバイブロハンマーの本体部をクレーンで吊下げ、バイブロハンマーのチャック部でケーシングの上部をチャックした状態で、振動をケーシングに加える。すると、ケーシングの周囲及び先端と地盤との間に生じる摩擦力、抵抗力が低減され、ケーシングおよびバイブロハンマーの自重により、ケーシングが地中に貫入しやすくなる。
【先行技術文献】
【特許文献】
【０００４】
【特許文献１】特開２００５−２７３４１１号公報
【発明の概要】
【発明が解決しようとする課題】
【０００５】
しかしながら、長さ１０〜２０ｍといった長いケーシングを用いる場合等においては、ケーシングの重量が大きくなるため、バイブロハンマーのチャック部における保持容量（保持することが可能な重量）を超えてしまう可能性がある。
【０００６】
また、基礎工事段階では、現場では地盤がむき出しになっており、ケーシングに泥等が付着しやすい状況にある。特に、雨天時等においては、ケーシングに泥等が付着していると、チャック部でチャックしたケーシングが滑りやすく、上記問題はさらに顕著になる。
【０００７】
そこで、本発明は、上記事情を鑑みてなされたものであり、ケーシングを確実に保持することのできるケーシングの設置方法、およびそれに用いるサポートブラケット、バイブロハンマーを提供することである。
【課題を解決するための手段】
【０００８】
本発明は、上記課題を解決するため、以下の手段を採用する。
すなわち、本発明は、地盤中にコンクリート杭を形成するに際し、該コンクリート杭を形成すべき位置に土留め用の筒状のケーシングを設置する方法であって、前記ケーシングの上端部を、バイブロハンマーの複数のチャック部で保持した状態で前記バイブロハンマーを揚重機で吊り下げるとともに、前記ケーシングを索体により前記揚重機または前記バイブロハンマーに連結する工程と、前記揚重機で前記ケーシングを設置すべき位置まで移動させ、前記バイブロハンマーの本体部で発生した振動を前記チャック部を介して前記ケーシングに伝達させながら、前記ケーシングを地盤中に貫入させていく工程と、を有することを特徴としている。
【０００９】
これにより、ケーシングは、バイブロハンマーのチャック部で保持されるだけでなく、索体により揚重機またはバイブロハンマーに連結されている。したがって、万が一チャック部での保持能力が不足した場合であっても、索体によりケーシングが脱落するのを防ぐことができ、ケーシングを確実に保持することができる。
【００１０】
また、前記ケーシングは、前記本体部に着脱可能な状態でセットしたサポートブラケットに、前記索体を介して連結されることを特徴としてもよい。
【００１１】
これにより、バイブロハンマーの本体部に加工を施すことなくサポートブラケットをバイブロハンマーの本体部に取り付けるだけで、実施することができる。
【００１２】
さらに、本発明は、地盤中にコンクリート杭を形成するに際し、該コンクリート杭を形成すべき位置の地盤に貫入させる土留め用の筒状のケーシングに振動を与えるバイブロハンマーの本体部に取り付けられるサポートブラケットであって、前記本体部の上面に載置される支持プレートと、該支持プレートから前記本体部の側面に沿って下方に延びる側面プレートと、を有し、該側面プレートに係止具が設けられ、該係止具と前記ケーシングの上端部とが索体により連結可能とされていることを特徴としている
【００１３】
そして、本発明に係るバイブロハンマーは、地盤中にコンクリート杭を形成するに際し、該コンクリート杭を形成すべき位置の地盤に貫入される土留め用の筒状のケーシングの上端部を保持するチャック部と、該チャック部を介して前記ケーシングを振動させるための振動機構を内蔵した本体部と、該本体部に一体に設けられた請求項３に記載の前記サポートブラケットと、を備えていることを特徴としている。
【発明の効果】
【００１４】
本発明によれば、ケーシングは、バイブロハンマーのチャック部で保持されるだけでなく、索体により揚重機またはバイブロハンマーに連結されるため、万が一チャック部での保持能力が不足した場合であっても、索体によりケーシングが脱落するのを防ぎ、ケーシングを確実に保持することができる。
【図面の簡単な説明】
【００１５】
【図１】第一の実施形態における場所打ちコンクリート杭の施工方法を示す図であって、（ａ）は概略構成図（正面図）であり、（ｂ）、（ｃ）はケーシングの部分拡大斜視図である。
【図２】第二の実施形態におけるケーシングを吊り下げた状態を示す正面図である。
【発明を実施するための形態】
【００１６】
以下、添付図面を参照して、本発明によるケーシングの設置方法、およびそれに用いるサポートブラケット、バイブロハンマーを実施するための実施形態を説明する。しかし、本発明はこれらの実施例のみに限定されるものではない。
【００１７】
（第一の実施形態）
図１に示すように、場所打ちコンクリート杭を形成するに際し、円筒状のケーシング１０を地中に貫入させるには、バイブロハンマー２０を用いる。
【００１８】
バイブロハンマー２０は、クレーン（揚重機）のフック３０からワイヤーＷ１により吊り下げられている。このバイブロハンマー２０は、起振力を生じさせる振動機構を内蔵した本体部２１と、本体部２１から下方に突出して設けられた一対のチャック部２２，２２と、を備えている。
各チャック部２２は油圧等によって開閉駆動され、ケーシング１０の上端部を挟んでチャック保持できるようになっている。また、各チャック部２２は、本体部２１に内蔵された振動機構に連結されて、振動機構で発生させた振動が伝達されるようになっている。
【００１９】
ケーシング１０は、その上端部を、一対のチャック部２２，２２でチャックすることによって保持される。
【００２０】
さらに、チャック部２２，２２で保持したケーシング１０は、ワイヤー（索体）Ｗ２を連結可能に構成されている。具体的には、図１（ｂ）、（ｃ）に示すように、ケーシング１０の上端部近傍に、一対の係止具１１，１１が設けられ、この係止具１１に、クレーンのフック３０に吊り下げられたチェーンまたはワイヤー（以下、単にワイヤーと称する）Ｗ２の端部が連結できるように構成されている。
【００２１】
ここで、係止具１１としては、例えば、図１（ｂ）に示すように、ケーシング１０の外周面に溶接固定されたステー１２に形成された孔１２ａに、例えば円形のリング１３を通したものや、図１（ｃ）に示すように、ケーシング１０の上端部近傍に形成された貫通孔１０ａに、例えば正面視三角形状のリング１４を通したものを用いることができる。
【００２２】
ワイヤーＷ２は、ケーシング１０をチャック部２２，２２で保持した状態において、所定の張力を発揮するような状態でフック３０と一対の係止具１１，１１との間に掛け渡すことができる。または、ケーシング１０をチャック部２２，２２で保持した状態において、ワイヤーＷ２には張力が生じないように、余裕を持ってフック３０と係止具１１との間に掛け渡すこともできる。
【００２３】
上述したようにして、ケーシング１０は、その上端部が、クレーンのフック３０に対し、バイブロハンマー２０およびワイヤーＷ２を介して吊り下げ可能に構成されている。これにより、ケーシング１０は、その軸線を鉛直方向に位置させた状態で吊り下げることができる。
そして、この状態において、クレーンのブーム（図示無し）を旋回・伸縮させることによって、吊り下げたケーシング１０を、コンクリート杭を形成すべき所定の位置の鉛直上方に位置させることができる。
【００２４】
続いて、フック３０を下降させ、ケーシング１０の下端部１０ｂを地盤Ｇ上に置く。この状態で、バイブロハンマー２０の本体部２１の振動機構を作動させてチャック部２２，２２を振動させる。すると、チャック部２２，２２を介してケーシング１０に振動が伝達される。
【００２５】
そして、クレーンのフック３０を徐々に下降させると、ケーシング１０およびバイブロハンマー２０の自重により、ケーシング１０は地中に貫入されていく。このとき、バイブロハンマー２０の本体部２１の振動機構によってケーシング１０が振動させられることにより、ケーシング１０の周囲及び下端部１０ｂと地盤Ｇとの間に生じる摩擦力、抵抗力が低減され、ケーシング１０が地中に貫入しやすくなる。
【００２６】
このようにしてケーシング１０を地盤Ｇ中の所定深さまで貫入されたら、バイブロハンマー２０のチャック部２２，２２によるチャックを解放するとともに、ワイヤーＷ２を係止具１１から取り外す。そして、クレーンのフック３０でバイブロハンマー２０を引き上げ、ケーシング１０を地盤Ｇ中に残置する。
【００２７】
この後は、ケーシング１０の内側の地盤Ｇを掘削し、掘削された孔の内部に鉄筋を配筋し、コンクリートを打設する。これにより、ケーシング１０により、周囲地盤Ｇの土留めを図りつつ、その内側に場所打ちコンクリートによりコンクリート杭を形成することができる。なお、ケーシング１０は、打設したコンクリートが硬化する前に引き抜き、他のコンクリート杭の形成にも上記と同様に転用することができる。
【００２８】
上述したような構成によれば、ケーシング１０を、クレーンのフック３０に吊り下げたバイブロハンマー２０のチャック部２２，２２でチャック保持するのに加え、クレーンのフック３０から吊り下げたワイヤーＷ２をケーシング１０に係止する。これにより、通常時はバイブロハンマー２０のチャック部２２，２２によりケーシング１０をチャック保持し、万が一チャック部２２，２２によりチャック保持ができなくなったときには、ケーシング１０をワイヤーＷ２により吊り下げて保持することができる。このようにして、ケーシング１０を確実に保持することができる。
【００２９】
このとき、ワイヤーＷ２を係止させるための係止具１１として、図１（ｃ）に示したように、ケーシング１０の上端部に形成された貫通孔１０ａにリング１４を通したものを用いる場合、貫通孔１０ａは、このケーシング１０を、一時置きする資材置き場から引き起こしたりするために予め形成されたものを用いることもできる。これにより、低コストで上記効果を得ることができる。
【００３０】
（第二の実施形態）
次に、本発明の第二の実施形態について説明する。以下に示す第二の実施形態においては、ワイヤーＷ２をクレーンのフック３０ではなく、バイブロハンマー２０から吊り下げるようにする。そこで、以下の説明において、上記第一の実施形態と共通する構成については同符号を付し、その説明を省略する。
【００３１】
図２に示すように、ケーシング１０は、クレーンのフック３０にワイヤーＷ１によって吊り下げたバイブロハンマー２０のチャック部２２，２２によりチャック保持される。
さらに、ケーシング１０は、バイブロハンマー２０の本体部２１に装着されたサポートブラケット５０から、ワイヤー（索体）Ｗ３によって吊り下げられるようになっている。
【００３２】
ここで、サポートブラケット５０は、いかなる構成であってもよいが、例えば、バイブロハンマー２０の本体部２１の上面上に載置される支持プレート５１と、支持プレート５１の両端から本体部２１の側面に沿って垂下する側面プレート５２，５２と、各側面プレート５２，５２の下端部から水平方向に延びる水平プレート５３，５３と、本体部２１を挟んだ両側の水平プレート５３，５３どうしを連結し、本体部２１の側面２１ｂに沿わせた連結プレート５４と、を備えている。
【００３３】
そして、このようなサポートブラケット５０の適宜箇所、例えば、側面プレート５２の下端部に、貫通孔５５を形成しておき、この貫通孔５５にシャックル５６を掛ける。ワイヤーＷ３は、このシャックル５６と、係止具１１との間に掛け渡す。
【００３４】
ワイヤーＷ３は、ケーシング１０をチャック部２２，２２で保持した状態において、所定の張力を発揮するような状態でシャックル５６と係止具１１との間に掛け渡すことができるが、ケーシング１０をチャック部２２，２２で保持した状態において、ワイヤーＷ３には張力が生じないように、余裕を持ってシャックル５６と係止具１１との間に掛け渡してもよい。
【００３５】
本実施形態の構成によれば、上記第一の実施形態と同様、ケーシング１０を、クレーンのフック３０に吊り下げたバイブロハンマー２０のチャック部２２、２２でチャック保持するのに加え、バイブロハンマー２０の本体部２１から吊り下げたワイヤーＷ３をケーシング１０に係止する。これにより、通常時はバイブロハンマー２０のチャック部２２，２２によりケーシング１０をチャック保持し、万が一チャック部２２，２２によりチャック保持ができなくなったときには、ケーシング１０をワイヤーＷ３により吊り下げて保持することができる。このようにして、ケーシング１０を確実に保持することができる。
【００３６】
さらに、ワイヤーＷ３は、バイブロハンマー２０の本体部２１に設置されたサポートブラケット５０から吊り下げられている。これにより、ワイヤーＷ３を、バイブロハンマー２０の本体部２１よりも上方に位置するクレーンのフック３０に係止する必要が無くなり、ケーシング１０のすぐ上方に位置するシャックル５６に掛ければよいため、作業を容易かつ効率的に行うことができる。
【００３７】
また、サポートブラケット５０は、バイブロハンマー２０の本体部２１に容易に設置することができる。実際の現場では、バイブロハンマー２０は、レンタル品を用いることが多いが、例えレンタル品であっても、バイブロハンマー２０に傷等が生じるのを抑制することができる。
もちろん、バイブロハンマー２０がレンタル品ではない場合には、サポートブラケット５０を省略し、ワイヤーＷ３をバイブロハンマー２０の本体部２１に直接設けたシャックル５６によりチャック保持するようにしてもよい。
【００３８】
（その他の実施形態）
なお、本発明のケーシングの設置方法、およびそれに用いるサポートブラケット、バイブロハンマーは、図面を参照して説明した上述の各実施形態に限定されるものではなく、その技術的範囲において様々な変形例が考えられる。
【００３９】
例えば、サポートブラケット５０の構成は、図２に例示したものに限らず、同様の機能を果たすのであれば、他のいかなる構成としてもよい。
ワイヤーＷ２、Ｗ３を係止するために用いる部材も、上記に例示した以外にものを用いることが可能である。
これ以外にも、本発明の主旨を逸脱しない限り、上記実施の形態で挙げた構成を取捨選択したり、他の構成に適宜変更したりすることが可能である。
【符号の説明】
【００４０】
１０…ケーシング  １０ａ…貫通孔  １０ｂ…下端部  １１…係止具  １２…ステー  １２ａ…孔  １３…リング  １４…リング  ２０…バイブロハンマー  ２１…本体部  ２２…チャック部  ３０…フック（揚重機）  ５０…サポートブラケット  ５１…支持プレート  ５２…側面プレート  ５３…水平プレート  ５４…連結プレート  ５５…貫通孔  ５６…シャックル  Ｇ…地盤  Ｗ１…ワイヤー  Ｗ２…ワイヤー（索体）  Ｗ３…ワイヤー（索体）
【図１】
0005757159.tif 000002
【図２】
0005757159.tif 000003